【事件の表示】
　特願２００３−　７０１６７「ディスク再生装置」拒絶査定不服審判事件〔平成１６年１０月　７日出願公開、特開２００４−２８０９４０〕について、次のとおり審決する。
【結　論】
　本件審判の請求は、成り立たない。
【理　由】
第１　手続の経緯
　
　本願は、平成１５年３月１４日に出願されたものであって、平成１８年７月３日付けの拒絶理由通知に対する応答期間内の同年９月８日付けで手続補正がなされたが、同年９月２７日付けで拒絶査定がなされ、これに対し、同年１１月１日付けで拒絶査定不服審判が請求されるとともに、同年１１月１６日付けで手続補正がなさた。
　そして、平成２０年９月２４日付けで前置報告書を利用した審尋がなされたが、回答書は提出されなかったものである。
　　
第２　平成１８年１１月１６日付け手続補正についての補正却下の決定
　
［補正却下の決定の結論］
　平成１８年１１月１６日付けの手続補正を却下する。
　
［理由］
１．本件補正
　平成１８年１１月１６日付けの手続補正（以下「本件補正」という。）は、特許請求の範囲については、補正前（平成１８年９月８日付け手続補正書参照）に、
　
「【請求項１】　ディスクに記録されたデータを再生するデータ再生部と、
　所定の入力を受付ける第１の入力部と、
　前記データ再生部によるデータの再生中に前記第１の入力部に入力があった場合に、表示装置に、複数のマーカを表示させるマーカ表示部と、
　前記表示装置に表示される複数のマーカの中から１つのマーカを選択する情報の入力を受付ける第２の入力部と、
　前記データ再生部によるデータの再生中に前記第２の入力部に入力があった場合に、前記選択されたマーカを表示させる情報と前記第１の入力部に入力があった時点での前記データ再生部におけるディスクの再生位置の情報とを関連付けて記憶する情報記憶部と、
　前記データ再生部によるデータの再生が行なわれていないときに前記第１の入力部に入力があった場合、前記表示装置に、前記マーカとともに、前記情報記憶部において当該マーカを表示させる情報に関連付けられている前記ディスクの再生位置の静止画像のサムネイル画像を生成するサムネイル生成部と、
　前記サムネイル生成部の生成したサムネイル画像を前記表示装置に表示させるサムネイル表示部と、
　前記サムネイル画像が前記表示装置に表示されているときに前記第２の入力部に入力があった場合、前記データ再生部に、前記情報記憶部において前記選択されたマーカを表示させる情報に関連付けられている前記ディスクの再生位置から再生動作を実行させる、再生制御部とを含み、
　前記データ再生部は、再生するデータの映像を前記表示装置に表示させ、
　前記マーカ表示部は、前記表示装置の表示領域の一部に、前記マーカを表示させ、
　前記サムネイル表示部は、所定の情報が入力された場合に、前記サムネイル生成部の生成したサムネイル画像を１つずつ前記表示装置にスライドショーとして表示させる、ディスク再生装置。
　【請求項２】　ディスクに記録されたデータを再生するデータ再生部と、
　所定の入力を受付ける第１の入力部と、
　前記データ再生部によるデータの再生中に前記第１の入力部に入力があった場合に、表示装置に、複数のマーカを表示させるマーカ表示部と、
　前記表示装置に表示される複数のマーカの中から１つのマーカを選択する情報の入力を受付ける第２の入力部と、
　前記データ再生部によるデータの再生中に前記第２の入力部に入力があった場合に、前記選択されたマーカを表示させる情報と前記第１の入力部に入力があった時点での前記データ再生部におけるディスクの再生位置の情報とを関連付けて記憶する情報記憶部と、
　前記データ再生部によるデータの再生が行なわれていないときに前記第１の入力部に入力があった場合、前記表示装置に、前記マーカとともに、前記情報記憶部において当該マーカを表示させる情報に関連付けられている前記ディスクの再生位置の静止画像のサムネイル画像を生成するサムネイル生成部と、
　前記サムネイル生成部の生成したサムネイル画像を前記表示装置に表示させるサムネイル表示部とを含み、
　前記サムネイル表示部は、所定の情報が入力された場合に、前記サムネイル生成部の生成したサムネイル画像を１つずつ前記表示装置にスライドショーとして表示させる、ディスク再生装置。
　【請求項３】　前記データ再生部は、再生するデータの映像を前記表示装置に表示させ、　前記マーカ表示部は、前記表示装置の表示領域の一部に、前科マーカを表示させる、請求項２に記載のディスク再生装置。
　【請求項４】　前記サムネイル画像が前記表示装置に表示されているときに前記第２の入力部に入力があった場合、前記データ再生部に、前記情報記憶部において前記選択されたマーカを表示させる情報に関連付けられる前記ディスクの再生位置から再生動作を実行させる、再生制御部をさらに含む、請求項２または請求項３に記載のディスク再生装置。」
　とあったところを、
　
　本件補正後に、　
「【請求項１】　ディスクに記録されたデータを再生するデータ再生部と、
　所定の入力を受付ける第１の入力部と、
　前記データ再生部によるデータの再生中に前記第１の入力部に入力があった場合に、表示装置に、複数のマーカを表示させるマーカ表示部と、
　前記表示装置に表示される複数のマーカの中から１つのマーカを選択する情報の入力を受付ける第２の入力部と、
　前記データ再生部によるデータの再生中に前記第２の入力部に入力があった場合に、前記選択されたマーカを表示させる情報と前記第１の入力部に入力があった時点での前記データ再生部におけるディスクの再生位置の情報とを関連付けて記憶する情報記憶部と、
　前記データ再生部によるデータの再生が行なわれていないときに前記第１の入力部に入力があった場合、前記表示装置に、前記マーカとともに、前記情報記憶部において当該マーカを表示させる情報に関連付けられている前記ディスクの再生位置の静止画像のサムネイル画像を生成するサムネイル生成部と、
　前記サムネイル生成部の生成したサムネイル画像を前記表示装置に表示させるサムネイル表示部と、
　前記サムネイル画像が前記表示装置に表示されているときに前記第２の入力部に入力があった場合、前記データ再生部に、前記情報記憶部において前記選択されたマーカを表示させる情報に関連付けられている前記ディスクの再生位置から再生動作を実行させる、再生制御部とを含み、
　前記データ再生部は、再生するデータの映像を前記表示装置に表示させ、
　前記マーカ表示部は、前記表示装置の表示領域の一部に、前記マーカを表示させ、
　
前記サムネイル生成部は、所定の情報が入力された場合に、前記情報記憶部において前記マーカを表示させる情報に関連付けて記憶されている前記ディスクの再生位置の静止画像のサムネイル画像を生成し、
　前記サムネイル表示部は、
前記
　【請求項２】　ディスクに記録されたデータを再生するデータ再生部と、
　所定の入力を受付ける第１の入力部と、
　前記データ再生部によるデータの再生中に前記第１の入力部に入力があった場合に、表示装置に、複数のマーカを表示させるマーカ表示部と、
　前記表示装置に表示される複数のマーカの中から１つのマーカを選択する情報の入力を受付ける第２の入力部と、
　前記データ再生部によるデータの再生中に前記第２の入力部に入力があった場合に、前記選択されたマーカを表示させる情報と前記第１の入力部に入力があった時点での前記データ再生部におけるディスクの再生位置の情報とを関連付けて記憶する情報記憶部と、
　前記データ再生部によるデータの再生が行なわれていないときに前記第１の入力部に入力があった場合、前記表示装置に、前記マーカとともに、前記情報記憶部において当該マーカを表示させる情報に関連付けられている前記ディスクの再生位置の静止画像のサムネイル画像を生成するサムネイル生成部と、
　前記サムネイル生成部の生成したサムネイル画像を前記表示装置に表示させるサムネイル表示部とを含み、
　
前記サムネイル生成部は、所定の情報が入力された場合に、前記情報記憶部において前記マーカを表示させる情報に関連付けて記憶されている前記ディスクの再生位置の静止画像のサムネイル画像を生成し、
　前記サムネイル表示部は、
前記
　【請求項３】　前記データ再生部は、再生するデータの映像を前記表示装置に表示させ、　前記マーカ表示部は、前記表示装置の表示領域の一部に、前科マーカを表示させる、請求項２に記載のディスク再生装置。
　【請求項４】　前記サムネイル画像が前記表示装置に表示されているときに前記第２の入力部に入力があった場合、前記データ再生部に、前記情報記憶部において前記選択されたマーカを表示させる情報に関連付けられる前記ディスクの再生位置から再生動作を実行させる、再生制御部をさらに含む、請求項２または請求項３に記載のディスク再生装置。」
　とするものである。
　
　上記本件補正の請求項１および２は、本件補正前の請求項１および２と比較して、発明特定事項である「サムネイル生成部」について、さらに「前記サムネイル生成部は、所定の情報が入力された場合に、前記情報記憶部において前記マーカを表示させる情報に関連付けて記憶されている前記ディスクの再生位置の静止画像のサムネイル画像を生成し」と限定するものであるから、平成１８年法律第５５号改正附則第３条第１項によりなお従前の例によるとされる同法による改正前の特許法第１７条の２第４項第２号に規定する特許請求の範囲の減縮を目的とするものに該当する。
　
　そこで、本件補正後の請求項２に係る発明（以下「本件補正発明」という。）が特許出願の際独立して特許を受けることができるものであるか（平成１８年法律第５５号改正附則第３条第１項によりなお従前の例によるとされる同法による改正前の特許法第１７条の２第５項で準用する同法第１２６条第５項に規定する要件を満たすか）否かについて、以下検討する。
　
２．引用例
　原査定の拒絶の理由に引用された特開２００３−３７７９６号公報（平成１５年２月７日公開、以下「引用例１」という。）には、情報信号複製制御システムに関し、図面と共に、以下の記載がある。（なお、下線は、当審で付与した。）
　
（１）「【特許請求の範囲】
【請求項３】
記録媒体に対し映像情報の記録と再生が可能な情報記録再生装置
　
（２）【０００１】
【発明の属する技術分野】本発明は、情報の記録再生技術に係り、特に、再生位置の検索に関する。」
　
（３）「【０００５】
【発明の実施の形態】以下、本発明の実施例につき図面を用いて説明する。
図１は、本発明の情報記録再生装置の一実施例を示す
１５は静止画サンプル情報を記憶する静止画用メモリ
１７は静止がサンプル情報から縮小した静止画を形成する静止が縮小回路
　
（４）「【０００７】再生時は、ピックアップユニット７により記録媒体（光ディスク）８から検出された光出力が電気信号に変換され、該電気信号が増幅器９で増幅され、さらに、デジタルデータプロセッサ６に入力され、該デジタルデータプロセッサ６において記録フォーマットからＭＰＥＧ規格のデータに戻される。該ＭＰＥＧ規格のデータは、映像音声データ伸張回路２４に入力され、該映像音声データ伸張回路２４で標準デジタル映像データとデジタル音声データに分離される。標準デジタル映像データは、映像信号再生回路２３によりデジタルデータからアナログ映像信号に変換されて文字信号加算回路２２に入力され、該文字信号加算回路２２で文字重畳されて映像信号出力端子２５から出力される。一方、標準音声データは音声信号再生回路２７によりデジタルデータからアナログ音声信号に変換され、音声信号出力端子２６から出力される。」
　
（５）「【００１２】図３において、２００はリモートコントローラ、２０１は電源ボタン、
２０２はブックマークボタン
２０５〜２０８はカーソルボタン、２０９は決定ボタンである
記録番組が
外部表示装置１０３に表示される
【００１３】図４（ｂ）は、上記図４（ａ）の再生番組メニューとしての縮小静止画４０１〜４０６の表示に重ねて、再生メニュー（再生形態のメニュー）４０７を表示した場合の例である。再生メニューとしては、選択した番組が、記録時の静止画サンプル情報の位置を起点として番組が最初から再生されるメニュー「最初から再生」４０８と、映像情報を再生する番組内の再生開始したい位置に予めブックマークが設定されていた場合のメニュー「ブックマーク再生」４０９と、選択した番組が既に番組の途中まで再生され、停止操作をされていた場合のメニュー「続きから再生」４１０の３つである。番組が選択・確定されると、該再生メニュー４０７が画面上に表示される。該再生メニュー４０７の「最初から再生」４０８、「ブックマーク再生」４０９、「続きから再生」４１０のいずれかが、例えば、リモートコントローラ２００のカーソル２０５、２０６で選択され、決定ボタン２０９で確定される。「最初から再生」４０８が選択された場合は、記録番組の記録開始時から再生される。「ブックマーク再生」４０９が選択された場合は、例えば、図５や図６に示すようなブックマークメニューが表示され、該メニューの選択に従い、設定されたブックマーク位置から再生される。「続きから再生」４１０が選択された場合は、以前選択された番組が停止された位置から再生される。この場合、番組が再生途中で停止された位置は、自動的に番組単位の最終停止位置情報として、システムコントロール２８によって内部メモリ３２に保存される。また、この停止後に再生を再開するモードにおいては、静止画サンプル情報が静止画取込み回路１４によって取込まれ、静止画用メモリ１５に記憶される。停止位置は番組別に記録されているため、記録した番組全てにおいて、それぞれ以前に停止した位置から続きの再生が可能となる。
【００１４】以下、ブックマーク設定による再生操作につき説明する。図５（ａ）は、ブックマークを設定するときのブックマークメニューと再生バーの表示例を示す。
番組を再生中、ブックマークを行いたい所望の場面（シーン）で、リモートコントローラ２００のブックマークボタン２００が押されると、再生映像５０１の上に重ねて、番組の再生位置を示す再生バー５０２と、ブックマークの設定を行うブックマークメニュー５０３が表示される
ブックマークメニュー５０３上の表示「ブックマークを追加」５０５、「ブックマーク再生」５０６は、例えば、リモートコントローラ２００のカーソル２０５、２０６により選択され、決定ボタン２０９により確定される
「ブックマークを追加」５０５が選択されると、その時点における映像の再生開始位置情報等の、静止画に対応した情報は、システムコントロール２８によって内部メモリ３２に保存され、再生バー５０２上の、選択された再生開始位置にブックマーク５０７が表示される。また、この時、静止画サンプル情報が静止画取込み回路によって取込まれ、静止画用メモリ１５に記憶される
【００１５】図６（ａ）は、複数個のブックマーク設定がされた場合の表示例を示す。ブックマークを追加する場合は、再生中の所望の場面で「ブックマークを追加」５０５を選択し決定ボタン２０９を押すと、再生バー５０２上の相当位置にブックマーク５０８が追加される。この操作を繰り返すことで複数のブックマークの設定を行う。」
【００１６】（省略）
【００１７】次に、リモートコントローラ２００で情報記録再生装置１００にブックマークを複数個設定し、ブックマーク一覧画面で設定したブックマークから再生開始する場合につき説明する。
図７は、ブックマークで設定される複数の番組リストと、各番組に対応した縮小静止画及び選択用のブックマークボタンとを示す。記録番組を再生していない停止状態においてリモートコントローラ２００のブックマークボタン２０４が押されると、画面上にブックマーク再生メニュー６０１と、予めブックマーク設定されたブックマークボタン６０２、６０３、６０４、６０５、６０６、６０７が一覧表示される
また、ブックマーク設定した位置における静止画を縮小した子画面６１０を、全てのブックマークの横に表示する。ブックマーク再生メニュー６０１上のブックマーク６０２〜６０７は、例えば、リモートコントローラ２００のカーソル２０５、２０６で選択され、決定ボタン２０９で確定される
　
　上記摘示事項及び図面の記載を総合勘案すると、引用例１には、次の発明（以下「引用発明」という。）が記載されているものと認める。
　
「記録媒体に対し映像情報の記録と再生が可能な情報記録再生装置において、
　ブックマークボタンと、
　カーソルボタン及び決定ボタンと、
　静止画サンプル情報を記憶する静止画用メモリと、
　静止画サンプル情報から縮小静止画を形成する静止画縮小回路とを備え、
　映像情報の再生中、
ブックマークボタンが押されると、外部表示装置に表示された再生映像に重ねて映像情報の再生位置を示す再生バーとブックマークの設定を行うブックマークメニューが表示され、
カーソルボタン及び決定ボタンによりブックマークメニューの『ブックマークを追加』が選択されると、その時点における映像情報の再生開始位置情報が内部メモリに保存され、
再生バー上の、選択された再生開始位置にブックマークが表示され、
また、この時、静止画サンプル情報が取込まれ、静止画用メモリに記憶され、
　映像情報を再生していない停止状態においてブックマークボタンが押されると、予めブックマーク設定されたブックマークとブックマーク設定した位置における静止画を縮小した縮小静止画が表示される
　情報記録再生装置。」
　
　同じく原査定の拒絶の理由に引用された特開２０００−５７７５１号公報（平成１２年２月２５日公開、以下「引用例２」という。）には、図面と共に以下の記載がある。（なお、下線は、当審で付与した。）
　
（６）「【０００１】
【発明の属する技術分野】この発明は、
任意の位置にアクセス可能な光ディスク
　
（７）「【００１８】図５はこの発明の光ディスクを用いた光ディスク装置の具体的な構成の一例を示す図である。図において、１は記録媒体である光ディスク、２は光ディスク１を回転させるためのディスクモータ、３はディスクモータ２の駆動回転を制御するモータ制御手段、４は光ディスク１に映像データ等の情報を記録あるいは記録されたデータ、アドレス等の情報を再生する情報記録再生ヘッド、５は情報記録再生ヘッド４からセクタアドレス信号を読み出し、セクタアドレス信号をセクタアドレス値に変換したアドレス解読信号を出力するアドレス解読手段、６は記録時は記録データを変調後に情報記録再生ヘッド４に出力し、再生時は情報記録再生ヘッド４から再生信号を読み出し復調する記録再生手段、７は入力する映像信号を符号化して記録再生手段６に出力し、あるいは、記録再生手段６からの映像信号を復号化して後述の出力ユーザインタフェース部１０へ出力する映像信号符号化復号化手段、８は光ディスクから読み出した再生終了位置情報テーブルとユーザ定義位置情報テーブルの情報を光ディスク１の記録あるいは再生時、一時的に格納することのできるバッファメモリであり、再生終了位置情報とユーザ定義位置情報を登録し得る容量を備えている。９はユーザからの記録、再生の開始、終了、任意の再生開始位置を装置に伝える入力ユーザインタフェース部、１０は映像信号をユーザに表示する出力ユーザインタフェース部、１１は装置各部をコントロールするコントローラである。なお、再生終了位置情報は再生を中断した位置であり装置が自動的に登録するが、一方、
ユーザ定義位置情報は、ユーザが自らの意思で入力するアドレスであるため、これは、ユーザが映像を再生、あるいは記録中に、リモコンなどの入力インタフェースを通じて登録する
　
（８）「【００２０】次にバッファメモリ８に記録された２つのテーブルを用いて再生開始位置を特定する動作について説明する。リモコンなどの入力インタフェース９にある再生開始位置ボタンが押されると、バッファメモリ８に記憶されている２つのテーブルを読み出し、登録されたアドレス情報を映像の再生順、すなわちアドレス順にソートする。そして、再生開始位置ボタンが押される毎にこのソート順にアドレスに対応する位置に記録されている映像情報を静止画として、ディスプレイ等の出力インタフェース１０に表示する。なお、
再生開始位置情報としての静止画は、１枚ずつ表示するほかにマルチ画面として複数枚を一度に表示するように構成することもできる
　
３．対比
　そこで、本件補正発明と引用発明とを対比する。
（１）引用発明の「記録媒体」「映像情報」は、本件補正発明の「ディスク」「データ」にそれぞれ相当する。
　引用発明は、「記録媒体に対し映像情報の再生が可能」なものであるから、本件補正発明の「データ再生部」に相当する構成を備えている。
（２）引用発明の「ブックマークボタン」は、操作ボタンであり、所定の入力を受付けることは明らかであるから、本件補正発明の「第１の入力部」に相当する。
（３）引用発明の「外部表示装置」「ブックマーク」は、本件補正発明の「表示装置」「マーカ」にそれぞれ相当する。
　引用発明の「映像情報の再生中、ブックマークボタンが押されると、外部表示装置に」「映像情報の再生位置を示す再生バーとブックマークの設定を行うブックマークメニューが表示され」についてであるが、「外部表示装置」に「表示部」を有する点で、本件補正発明の「前記データ再生部によるデータの再生中に前記第１の入力部に入力があった場合に、表示装置に、」「表示させる表示部」と共通する。
（４）引用発明の「カーソルボタン及び決定ボタン」は、入力を受付ける点で、本件補正発明の「第２の入力部」に相当する。
（５）引用発明の「内部メモリ」は、「映像情報の再生中」「カーソルボタン及び決定ボタンによりブックマークメニューの「ブックマークを追加」が選択されると、その時点における映像情報の再生開始位置情報」が保存されるものであるから、本件補正発明の「前記データ再生部によるデータ再生中に前記第２の入力部に入力があった場合に、」「前記第１の入力部に入力があった時点での前記データ再生部におけるディスクの再生位置の情報」「を」「記憶する情報記憶部」に相当する。
（６）引用発明の「再生開始位置」「静止画サンプル情報」及び「縮小静止画」は、本件補正発明の「再生位置」「静止画像」及び「サムネイル画像」にそれぞれ相当する。
　引用発明は、「映像情報を再生していない停止状態においてブックマークボタンが押されると、予めブックマーク設定されたブックマークとブックマーク設定した位置における静止画を縮小した縮小静止画が表示される」ものであり、また「静止画縮小回路」が「静止画サンプル情報から縮小静止画を形成する」のであるから、引用発明の「静止画縮小回路」は、本件補正発明の「前記データ再生部によるデータの再生が行なわれていないときに前記第１の入力部に入力があった場合、前記表示装置に、」「前記マーカとともに、前記情報記憶部において当該マーカを表示させる情報に関連付けられている前記ディスクの再生位置の静止画像のサムネイル画像を生成するサムネイル生成部」に相当する。
（７）引用発明は、外部表示装置に縮小静止画が表示されるのであるから、本件補正発明の「前記サムネイル生成部の生成したサムネイル画像を前記表示装置に表示させるサムネイル表示部」に相当する構成を備えている。
（８）引用発明の「情報記録再生装置」は、再生位置の検索に関するものであるから、本件補正発明の「ディスク再生装置」に相当する。
　
　そうすると、本件補正発明と引用発明とは、次の点で一致する。
　
＜一致点＞
　
「ディスクに記録されたデータを再生するデータ再生部と、
　所定の入力を受け付ける第１の入力部と、
　前記データ再生部によるデータの再生中に前記第１の入力部に入力があった場合に、表示装置に表示させる表示部と、
　入力を受け付ける第２の入力部と、
　前記データ再生部によるデータ再生中に前記第２の入力部に入力があった場合に、前記第１の入力部に入力があった時点での前記データ再生部におけるディスクの再生位置の情報を記憶する情報記憶部と、
　前記データ再生部によるデータの再生が行われていないときには前記第１の入力部に入力があった場合、前記表示装置に、前記マーカとともに、前記情報記憶部において当該マーカを表示させる情報に関連付けられている前記ディスクの再生位置の静止画像のサムネイル画像を生成するサムネイル生成部と、　
　前記サムネイル生成部の生成したサムネイル画像を前記表示装置に表示させるサムネイル表示部とを含み（む）、　
　ディスク再生装置。」
　
そして、次の各点で相違する。
　
＜相違点＞
　
（ａ）「表示部」について、本件補正発明は、「複数のマーカを表示させるマーカ表示部」であるのに対し、引用発明は、「再生位置を示す再生バーとブックマークメニューが表示され」る点。
　
（ｂ）「第２の入力部」について、本件補正発明は、「表示装置に表示される複数のマーカの中から１つのマーカを選択する情報の入力を受け付ける」ものであるのに対し、引用発明は、ブックマークメニューの『ブックマークを追加』を選択するものである点。
　
（ｃ）「情報記憶部」について、本件補正発明は、「前記選択されたマーカを表示させる情報と前記第１の入力部に入力があった時点での前記データ再生部におけるディスクの再生位置の情報とを関連付けて」記憶するものであるのに対し、引用発明は、そのようになされていない点。
　
（ｄ）「サムネイル生成部」について、本件補正発明は、「所定の情報が入力された場合に、前記情報記憶部において前記マーカを表示させる情報に関連付けて記憶されている前記ディスクの再生位置の静止画像のサムネイル画像を生成」するものであるのに対し、引用発明は、そのようになされていない点。
　
（ｅ）「サムネイル表示部」について、本件補正発明は、「所定の情報が入力された場合に、前記サムネイル生成部の生成したサムネイル画像を１つずつ表示装置にスライドショーとして表示させる」ものであるのに対し、引用発明は、スライドショーについての開示がない点。
　
４．判断
　
　そこで、上記各相違点について検討する。
　
相違点（ａ）〜（ｃ）について
　ディスク再生中、ブックマークキーが押されると、ブックマーク設定画面が表示装置に表示され、再生中の位置等の情報をブックマーク情報としてメモリに登録したい場合には、ブックマーク情報登録部のうち、カーソルキーでブックマーク情報を登録すべき登録部を選択した後、エンターキーを押す、ブックマーク機能を備えた再生装置は周知（例、特開２００２−１３３８２８号公報の段落【００１３】、【００３２】〜【００３５】の記載及び図２、特開２００２−２６９９５９号公報の図８等参照）である。
　なお、上記「ブックマーク」「ブックマークキー」「ブックマーク設定画面」「カーソルキー及びエンターキー」及び「メモリ」は、本件補正発明の「マーカ」「第１の入力部」「マーカ表示部」「第２の入力部」及び「情報記憶部」にそれぞれ相当している。
　そうすると、引用発明において、表示部を「複数のマーカを表示させるマーカ表示部」とし、第２の入力部を「表示装置に表示される複数のマーカの中から１つのマーカを選択する情報の入力を受け付ける」ものとし、そして「情報記憶部」を「前記選択されたマーカを表示させる情報と前記第１の入力部に入力があった時点での前記データ再生部におけるディスクの再生位置の情報とを関連付けて記憶する」ものとすることは、上記周知技術により当業者が適宜なし得るものである。
　
相違点（ｄ）（ｅ）について
　引用発明及び本件補正発明と同一の技術分野に属する上記引用例２には、再生開始位置情報としての静止画を１枚ずつ表示、すなわちスライドショーとして表示することも記載されている（上記「２．（８）」参照）。
　そうすると、引用発明において、マルチ画面として複数枚同時に表示する構成に代えて、引用例２に記載されているスライドショーとして表示することを採用することにより、「静止画縮小回路」（サムネイル生成部）が「所定の情報が入力された場合（スライドショー時）に、前記情報記憶部において前記マーカを表示させる情報に関連付けて記憶されている前記ディスクの再生位置の静止画像のサムネイル画像を生成し」、表示部が「所定の情報が入力された場合（スライドショー時）に、前記サムネイル生成部の生成したサムネイル画像を１つずつ表示装置にスライドショーとして表示させる」ことは、当業者が容易に想到できるものである。
　そして、上記各相違点を総合的に判断しても、本件補正発明が奏する効果は引用例１，２及び周知技術から、当業者が十分に予測できたものであって、格別なものとはいえない。
　
　したがって、本件補正発明は、引用例１，２に記載された発明及び周知技術に基づいて当業者が容易に発明をすることができたものであり、特許法第２９条第２項の規定により、特許出願の際独立して特許を受けることができないものである。
　
５．本件補正についてのむすび
　
　以上のとおり、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
第３　本願発明について
　
１．本願発明
　
　平成１８年１１月１６日付けの手続補正は、上記のとおり却下されたので、本願の請求項１乃至４に係る発明は、平成１８年９月８日付けの手続補正書により補正された明細書の特許請求の範囲の請求項１乃至４に記載された事項によって特定されるとおりのものであるところ、請求項２に係る発明（以下「本願発明」という。）は、上記「第２［理由］１．」に本件補正前の請求項２として記載したとおりである。
　
２．引用例及びその記載
　
　原査定の拒絶の理由に引用された引用例及びその記載事項は、上記「第２［理由］４．（２）」に記載したとおりである。
　
３．対比・判断
　
　本願発明は、上記「第２」で検討した本件補正発明から、「前記サムネイル生成部は、所定の情報が入力された場合に、前記情報記憶部において前記マーカを表示させる情報に関連付けて記憶されている前記ディスクの再生位置の静止画像のサムネイル画像を生成し」との構成を削除してものであり、本件補正発明が、上記第２［理由］４．（３）（４）］に記載したとおり、引用例１，２に記載された発明及び周知技術に基づいて、当業者が容易に発明をすることができたものであるから、本願発明も同様の理由により、引用例１，２に記載された発明及び周知技術に基づいて当業者が容易に発明をすることができたものである。
　
４．むすび
　
　以上のとおりであるから、本願請求項２に係る発明は、特許法第２９条第２項の規定により特許を受けることができない。
　したがって、本願は、その余の請求項について論及するまでもなく拒絶すべきものである。
　よって、結論のとおり審決する。